(57)【要約】【課題】帯域情報を含む制御フレームを用いて、データフレームの送信を制御することが可能な帯域制御システムを提供する。【解決手段】受信側通信装置（21）は、送信側通信装置（20）が送信するデータフレームの帯域を制御するための帯域情報（S213）を含む制御フレームを、送信側通信装置（20）に送信する。送信側通信装置（20）は、帯域情報（S213）を含む制御フレームを受信した場合に、制御フレームに含まれる帯域情報（S213）に応じたデータフレームの送信を行うように制御する。【選択図】図７
2008236733.tif 000002
【特許請求の範囲】
【請求項１】
制御フレームを通信装置に送信する送信手段を有する帯域制御装置であって、
前記送信手段は、
前記通信装置が送信するデータフレームの帯域を制御するための帯域情報を含む制御フレームを送信することを特徴とする帯域制御装置。
【請求項２】
前記送信手段は、
前記帯域情報を含む制御フレームの送信要求を受け付けた場合と、
前記帯域情報に変化があった場合と、
前記通信装置と、前記帯域制御装置と、間のリンクが切断した状態から再度リンクが確立した場合と、
前記帯域制御装置から出力可能なデータ帯域が、前記通信装置から前記帯域制御装置に入力されるデータ帯域よりも小さくなった場合と、
の少なくとも１つの場合に、前記帯域情報を含む制御フレームを送信することを特徴とする請求項１記載の帯域制御装置。
【請求項３】
前記帯域情報を含む制御フレームによる制御を有効とするか無効とするかを設定する設定手段を有し、
前記送信手段は、
有効と設定されている場合に、前記帯域情報を含む制御フレームを、前記通信装置に送信し、
無効と設定されている場合に、前記帯域情報を含まない制御フレームを、前記通信装置に送信することを特徴とする請求項１または２記載の帯域制御装置。
【請求項４】
前記帯域制御装置において輻輳状態が発生したか否かを判断する判断手段を有し、
前記送信手段は、
輻輳状態が発生し、かつ、有効と設定されている場合に、前記帯域情報を含む制御フレームを、前記通信装置に送信し、
輻輳状態が発生し、かつ、無効と設定されている場合に、前記帯域情報を含まない制御フレームを、前記通信装置に送信し、
輻輳状態が発生しなくなり、かつ、有効と設定されている場合に、前記帯域情報を０とした制御フレームを、前記通信装置に送信することを特徴とする請求項３記載の帯域制御装置。
【請求項５】
制御フレームを受信した場合に、前記制御フレームを基に、データフレームの送信を制御する帯域制御装置であって、
帯域情報を含む制御フレームを受信した場合に、前記制御フレームに含まれる帯域情報に応じたデータフレームの送信を行うように制御する制御手段を有することを特徴とする帯域制御装置。
【請求項６】
前記制御手段は、
帯域情報を含まない制御フレームを受信した場合に、前記制御フレームに応じたデータフレームの送信を行うように制御することを特徴とする請求項５記載の帯域制御装置。
【請求項７】
データフレームを送信する送信側通信装置と、前記データフレームを受信する受信側通信装置と、を有する帯域制御システムであって、
前記受信側通信装置は、
前記送信側通信装置が送信するデータフレームの帯域を制御するための帯域情報を含む制御フレームを、前記送信側通信装置に送信する送信手段を有し、
前記送信側通信装置は、
前記帯域情報を含む制御フレームを受信した場合に、前記制御フレームに含まれる帯域情報に応じたデータフレームの送信を行うように制御する制御手段を有することを特徴とする帯域制御システム。
【請求項８】
前記送信手段は、
前記帯域情報を含む制御フレームの送信要求を受け付けた場合と、
前記帯域情報に変化があった場合と、
前記送信側通信装置と、前記受信側通信装置と、間のリンクが切断した状態から再度リンクが確立した場合と、
前記受信側通信装置から出力可能なデータ帯域が、前記送信側通信装置から前記受信側通信装置に入力されるデータ帯域よりも小さくなった場合と、
の少なくとも１つの場合に、前記帯域情報を含む制御フレームを送信することを特徴とする請求項７記載の帯域制御システム。
【請求項９】
前記受信側通信装置は、
前記帯域情報を含む制御フレームによる制御を有効とするか無効とするかを設定する設定手段を有し、
前記送信手段は、
有効と設定されている場合に、前記帯域情報を含む制御フレームを、前記送信側通信装置に送信し、
無効と設定されている場合に、前記帯域情報を含まない制御フレームを、前記送信側通信装置に送信し、
前記制御手段は、
前記帯域情報を含む制御フレームを受信した場合に、前記制御フレームに含まれる帯域情報に応じたデータフレームの送信を行うように制御し、
前記帯域情報を含まない制御フレームを受信した場合に、前記制御フレームに応じたデータフレームの送信を行うように制御することを特徴とする請求項７または８記載の帯域制御システム。
【請求項１０】
前記受信側通信装置は、
前記受信側通信装置において輻輳状態が発生したか否かを判断する判断手段を有し、
前記送信手段は、
輻輳状態が発生し、かつ、有効と設定されている場合に、前記帯域情報を含む制御フレームを、前記送信側通信装置に送信し、
輻輳状態が発生し、かつ、無効と設定されている場合に、前記帯域情報を含まない制御フレームを、前記送信側通信装置に送信し、
輻輳状態が発生しなくなり、かつ、有効と設定されている場合に、前記帯域情報を０とした制御フレームを、前記送信側通信装置に送信し、
前記制御手段は、
前記帯域情報を０とした制御フレームを受信した場合に、前記制御フレームに含まれる０に応じたデータフレームの送信を行うように制御することを特徴とする請求項９記載の帯域制御システム。
【請求項１１】
前記送信手段は、
前記帯域情報を含む制御フレームを、１度だけ前記送信側通信装置に送信することを特徴とする請求項７から１０の何れか１項に記載の帯域制御システム。
【請求項１２】
前記受信側通信装置は、
前記帯域情報を設定する設定手段を有することを特徴とする請求項７から１１の何れか１項に記載の帯域制御システム。
【請求項１３】
前記制御フレームは、ＰＡＵＳＥフレームであり、
前記送信手段は、
前記帯域情報を含むＰＡＵＳＥフレームを、前記送信側通信装置に送信し、
前記制御手段は、
前記ＰＡＵＳＥフレームに含まれる帯域情報に応じたデータフレームの送信を行うように制御することを特徴とする請求項７から１２の何れか１項に記載の帯域制御システム。
【請求項１４】
制御フレームを通信装置に送信する帯域制御装置で行う帯域制御方法であって、
前記通信装置が送信するデータフレームの帯域を制御するための帯域情報を含む制御フレームを送信する送信工程を有することを特徴とする帯域制御方法。
【請求項１５】
前記送信工程は、
前記帯域情報を含む制御フレームの送信要求を受け付けた場合と、
前記帯域情報に変化があった場合と、
前記通信装置と、前記帯域制御装置と、間のリンクが切断した状態から再度リンクが確立した場合と、
前記帯域制御装置から出力可能なデータ帯域が、前記通信装置から前記帯域制御装置に入力されるデータ帯域よりも小さくなった場合と、
の少なくとも１つの場合に、前記帯域情報を含む制御フレームを送信することを特徴とする請求項１４記載の帯域制御方法。
【請求項１６】
前記帯域情報を含む制御フレームによる制御を有効とするか無効とするかを設定する設定工程を行い、
前記送信工程は、
有効と設定されている場合に、前記帯域情報を含む制御フレームを、前記通信装置に送信し、
無効と設定されている場合に、前記帯域情報を含まない制御フレームを、前記通信装置に送信することを特徴とする請求項１４または１５記載の帯域制御方法。
【請求項１７】
前記帯域制御装置において輻輳状態が発生したか否かを判断する判断工程を有し、
前記送信工程は、
輻輳状態が発生し、かつ、有効と設定されている場合に、前記帯域情報を含む制御フレームを、前記通信装置に送信し、
輻輳状態が発生し、かつ、無効と設定されている場合に、前記帯域情報を含まない制御フレームを、前記通信装置に送信し、
輻輳状態が発生しなくなり、かつ、有効と設定されている場合に、前記帯域情報を０とした制御フレームを、前記通信装置に送信することを特徴とする請求項１６記載の帯域制御方法。
【請求項１８】
制御フレームを受信した場合に、前記制御フレームを基に、データフレームの送信を制御する帯域制御装置で行う帯域制御方法であって、
帯域情報を含む制御フレームを受信した場合に、前記制御フレームに含まれる帯域情報に応じたデータフレームの送信を行うように制御する制御工程を有することを特徴とする帯域制御方法。
【請求項１９】
前記制御工程は、
帯域情報を含まない制御フレームを受信した場合に、前記制御フレームに応じたデータフレームの送信を行うように制御することを特徴とする請求項１８記載の帯域制御方法。
【請求項２０】
データフレームを送信する送信側通信装置と、前記データフレームを受信する受信側通信装置と、を有する帯域制御システムで行う帯域制御方法であって、
前記受信側通信装置は、
前記送信側通信装置が送信するデータフレームの帯域を制御するための帯域情報を含む制御フレームを、前記送信側通信装置に送信する送信工程を行い、
前記送信側通信装置は、
前記帯域情報を含む制御フレームを受信した場合に、前記制御フレームに含まれる帯域情報に応じたデータフレームの送信を行うように制御する制御工程を行うことを特徴とする帯域制御方法。
【請求項２１】
前記送信工程は、
前記帯域情報を含む制御フレームの送信要求を受け付けた場合と、
前記帯域情報に変化があった場合と、
前記送信側通信装置と、前記受信側通信装置と、間のリンクが切断した状態から再度リンクが確立した場合と、
前記受信側通信装置から出力可能なデータ帯域が、前記送信側通信装置から前記受信側通信装置に入力されるデータ帯域よりも小さくなった場合と、
の少なくとも１つの場合に、前記帯域情報を含む制御フレームを送信することを特徴とする請求項２０記載の帯域制御方法。
【請求項２２】
前記受信側通信装置は、
前記帯域情報を含む制御フレームによる制御を有効とするか無効とするかを設定する設定工程を行い、
前記送信工程は、
有効と設定されている場合に、前記帯域情報を含む制御フレームを、前記送信側通信装置に送信し、
無効と設定されている場合に、前記帯域情報を含まない制御フレームを、前記送信側通信装置に送信し、
前記制御工程は、
前記帯域情報を含む制御フレームを受信した場合に、前記制御フレームに含まれる帯域情報に応じたデータフレームの送信を行うように制御し、
前記帯域情報を含まない制御フレームを受信した場合に、前記制御フレームに応じたデータフレームの送信を行うように制御することを特徴とする請求項２０または２１記載の帯域制御方法。
【請求項２３】
前記受信側通信装置は、
前記受信側通信装置において輻輳状態が発生したか否かを判断する判断工程を行い、
前記送信工程は、
輻輳状態が発生し、かつ、有効と設定されている場合に、前記帯域情報を含む制御フレームを、前記送信側通信装置に送信し、
輻輳状態が発生し、かつ、無効と設定されている場合に、前記帯域情報を含まない制御フレームを、前記送信側通信装置に送信し、
輻輳状態が発生しなくなり、かつ、有効と設定されている場合に、前記帯域情報を０とした制御フレームを、前記送信側通信装置に送信し、
前記制御工程は、
前記帯域情報を０とした制御フレームを受信した場合に、前記制御フレームに含まれる０に応じたデータフレームの送信を行うように制御することを特徴とする請求項２２記載の帯域制御方法。
【発明の詳細な説明】
【技術分野】
【０００１】
本発明は、データフレームを制御することが可能な帯域制御装置、帯域制御システム、帯域制御方法に関するものである。
【背景技術】
【０００２】
近年のネットワークは、IEEE802．3に規定されているCSMA/CD（Carrier Sense Multiple Access with Collision Detection）方式が適用されている。以下、図１〜図３を参照しながら、IEEE802．3に規定されているCSMA/CD方式を適用したネットワーク構成例について説明する。
【０００３】
図１〜図３は、IEEE802．3に規定されているCSMA/CD方式を適用したネットワーク構成例を示す図である。
【０００４】
図１に示すネットワーク構成は、通信装置（1）と通信装置（3）との間の伝送路（2）が、CSMA/CD方式で10Gbpsの帯域となっており、通信装置（3）と通信装置（5）との間の伝送路（4）が、CSMA/CD方式で1Gbpsの帯域となっている。
【０００５】
図１に示すネットワーク構成では、通信装置（3）に入力される最大のデータ帯域は10Gbpsであるが、通信装置（3）から出力可能な最大のデータ帯域は1Gbpsである。このため、通信装置（1）から出力されるデータ帯域が1Gbps以上の時間が長時間続くと、通信装置（3）は、通信装置（1）から受信したデータを伝送路（4）に出力することが出来ないことになる。
【０００６】
つまり、通信装置（3）は輻輳状態となり、通信装置（3）においてMAC（Media Access Control）フレームの廃棄が発生してしまうことになる。
【０００７】
また、図２に示すネットワーク構成は、通信装置（6）と通信装置（8）との間の伝送路（7）が、CSMA/CD方式で1Gbpsの帯域となっており、通信装置（8）と通信装置（10）との間の伝送路（9）が、SONET（Synchronous Optical NETwork）、または、SDH（Synchronous Digital Hierarchy）方式で622．08Mbpsの帯域となっている（SMT-4伝送路）。通信装置（8）は、Ethernet Over SONET/SDHと呼ばれる処理を行う装置である。
【０００８】
図２に示すネットワーク構成は、図１に示すネットワーク構成と同様に、通信装置（8）においてMACフレームの廃棄が発生する可能性がある。
【０００９】
また、図３に示すネットワーク構成は、通信装置（11）と通信装置（13）との間の伝送路（12）、通信装置（16）と通信装置（13）との間の伝送路（17）、通信装置（18）と通信装置（13）との間の伝送路（19）、及び、通信装置（13）と通信装置（15）との間の伝送路（14）が、共に、CSMA/CD方式で1Gbpsの帯域となっている。
【００１０】
図３に示すネットワーク構成では、通信装置（13）には３方路から最大3GbpsのMACデータが入力されることになる。しかし、通信装置（13）から出力可能な最大のデータ帯域は1Gbpsであるため、通信装置（13）においてMACフレームの廃棄が発生する可能性がある。
【００１１】
なお、上述した図１〜図３に示す通信装置における輻輳状態の発生を抑制するための有効な方法の１つとして、図４に示す制御方法がある。IEEE802．3に規定されているCSMA/CD方式では、図４に示すように、受信側通信装置（21）から送信側通信装置（20）に対し、MAC制御フレームである『PAUSEフレーム』を送信することで、送信側通信装置（20）から送信するMACフレームを停止することが可能となる。
【００１２】
＜PAUSEフレームの構成＞
次に、図５を参照しながら、上述した『PAUSEフレーム』の構造について説明する。図５は、『PAUSEフレーム』の詳細構造を示す図である。
【００１３】
『PAUSEフレーム』は、図５に示すように、『DA（Destination Address）フィールド』、『SA（Source Address）フィールド』、『Length/Typeフィールド』、『Opcodeフィールド』、『Pause Timeフィールド』、『Paddingフィールド』、『FCS（Frame Check Sequence）フィールド』を有して構成している。
【００１４】
『DAフィールド』には、PAUSEフレーム用の特別の値として、『01：80：C2：00：00：01』の値が格納される。
【００１５】
『SAフィールド』には、PAUSEフレームを送信する通信装置の『MACアドレス』の値が格納される。
【００１６】
『Length/Typeフィールド』には、MAC制御フレームであることを示す『0x8808』の値が格納される。
【００１７】
『Opcodeフィールド』には、PAUSEフレームを示す『0x0001』の値が格納される。
【００１８】
『Pause Timeフィールド』には、PASUEフレームを受信した通信装置がデータの送信を停止する時間である『0〜65535』の値が格納される。
【００１９】
『Paddingフィールド』には、どのような値を格納するか特に規定されていないが、通常、全てのオクテットに対して『0』の値となっている。
【００２０】
『FCSフィールド』には、MACフレームの『CRC（Cyclic Redundancy Check）演算結果』の値が格納される。
【００２１】
＜本発明と関連する関連方式のPAUSEフレーム制御＞
次に、図６を参照しながら、本発明と関連する関連方式のPAUSEフレーム制御について説明する。図６は、本発明と関連する関連方式のPAUSEフレーム制御の一例を示す図である。なお、以下の説明では、『PAUSEフレーム送信』と、『PAUSEフレーム受信』と、によるデータ送信停止制御についてのみ説明する。
【００２２】
＜PAUSEフレーム送信制御＞
まず、PAUSEフレームの送信制御の説明として、図６に示す受信側通信装置（21）に関する動作について説明する。
【００２３】
＜MACフレーム受信部：211＞
MACフレーム受信部（211）は、MACフレーム格納メモリ（2111）と、滞留データ量監視部（2112）と、を有して構成し、MACフレーム格納メモリ（2111）から滞留データ量監視部（2112）に滞留データ量情報（S211）を送信する。
【００２４】
なお、滞留データ量情報（S211）は、MACフレーム格納メモリ（2111）に滞留しているMACフレームのデータ量に関する情報である。
【００２５】
MACフレーム受信部（211）は、10Gbps伝送路（22）から受信したMACフレームを、MACフレーム格納メモリ（2111）に格納した後に、1Gbps伝送路（23）に出力する。
【００２６】
なお、図１〜図３に示すネットワーク構成のように、入力側のデータ帯域よりも出力側のデータ帯域の方が小さい場合には、MACフレーム格納メモリ（2111）にMACフレームが滞留することになる。
【００２７】
滞留データ量監視部（2112）は、滞留データ量情報（S211）を受信した場合に、その受信した滞留データ量情報（S211）を基に、MACフレーム格納メモリ（2111）に滞留しているデータ量と、所定の閾値と、を比較する。そして、滞留データ量監視部（2112）は、MACフレーム格納メモリ（2111）に滞留しているデータ量が所定の閾値を超過している場合には、PAUSE送信情報（S212）を『1』として、MACフレーム送信部（212）に出力する。また、滞留データ量監視部（2112）は、MACフレーム格納メモリ（2111）に滞留しているデータ量が所定の閾値を超過していない場合には、PAUSE送信情報（S212）を『0』として、MACフレーム送信部（212）に出力する。
【００２８】
なお、上述した所定の閾値は、受信側通信装置（21）と接続しているユーザ設定端末（26）から設定することが可能である。PAUSE送信情報（S212）は、後述するセレクタ（2122）から10Gbps伝送路（24）に対し、『MACデータフレーム』を出力するか、または、『PAUSEフレーム』を出力するかを制御するための情報である。
【００２９】
＜MACフレーム送信部：212＞
MACフレーム送信部（212）は、PAUSEフレーム送信部（2121）と、セレクタ（2122）と、を有して構成している。
【００３０】
セレクタ（2122）は、PAUSE送信情報（S212）を受信した場合に、その受信したPAUSE送信情報（S212）が『0』の場合は、1Gbps伝送路（25）から送信される『MACデータフレーム』を10Gpps伝送路（24）に出力する。
【００３１】
また、セレクタ（2122）は、PAUSE送信情報（S212）が『1』の場合は、PAUSEフレーム送信部（2121）から送信される『PAUSEフレーム』を10Gpps伝送路（24）に出力する。
【００３２】
＜PAUSEフレーム受信制御＞
次に、PAUSEフレームによるデータ送信停止制御の説明として、送信側通信装置（20）に関する動作について説明する。
【００３３】
＜MACフレーム受信部：202＞
MACフレーム受信部（202）は、受信データ判別部（2021）を有して構成している。
【００３４】
受信データ判別部（2021）は、MACフレーム受信部（202）が受信したMACフレームの『DAフィールド』、『Opcodeフィールド』の値を基に、そのMACフレームが『PAUSEフレーム』であるか否かを判定する。
【００３５】
受信データ判別部（2021）は、MACフレームが『PAUSEフレーム』であると判定した場合には、送信停止情報（S204）を『1』として、MACフレーム送信部（201）に出力し、また、PAUSE情報（S203）として、『Pause Timeフィールド』の値をMACフレーム送信部（201）に出力する。
【００３６】
また、受信データ判別部（2021）は、MACフレームが『PAUSEフレーム』でないと判定した場合には、送信停止情報（S204）を『0』として、MACフレーム送信部（201）に出力し、また、PAUSE情報（S203）としては特に何の値も出力しない。
【００３７】
＜MACフレーム送信部：201＞
MACフレーム送信部（201）は、送信制御部（2011）を有して構成している。
【００３８】
送信制御部（2011）は、MACフレーム受信部（202）から受信した送信停止情報（S204）が『1』の場合には、データ送信停止制御を行うことになり、送信制御部（2011）は、PAUSE情報（S203）に含まれる『Pause Timeフィールド』の値に、512bit時間を乗じた時間だけMACフレームの送信を停止する。
【００３９】
また、送信制御部（2011）は、送信停止情報（S204）が『0』の場合には、データ送信停止制御を行わず、MACフレームを10Gbps伝送路（22）に出力する。
【００４０】
このように、上述した図６に示す本発明と関連する関連方式のPAUSEフレーム制御では、受信側通信装置（21）は、MACフレーム格納メモリ（2111）の使用量に応じて、『PAUSEフレーム』を送信側通信装置（20）に送信し、送信側通信装置（20）は、受信側通信装置（21）からPAUSEフレームを受信した場合に、MACフレームの送信停止制御を行うことになる。
【００４１】
しかし、上述した関連方式のPAUSEフレーム制御では、送信側通信装置（20）は、PAUSEフレームを基に、MACフレームの送信を停止するか否かの制御しか行っておらず、伝送路（22）を十分に活用しきれていなかったのが現状である。
【００４２】
このようなことから伝送路（22）の有効活用を図ることが可能な制御方法の開発が必用視されることになる。
【００４３】
なお、本発明より先に出願された技術文献として、サーバトラフィックをネットワーク管理者が設定する単位（アプリケーションや宛先IPアドレス等）で、帯域を制御する技術について開示された文献がある（例えば、特許文献１参照）。
【００４４】
また、MII（Media Independent Interface）機能のブロックを有するスイッチを１つ使用するのみで、10Mbps以下も含めた広範囲な帯域制御が可能な地域制限装置について開示された文献がある（例えば、特許文献２参照）。
【００４５】
また、対向イーサネット（登録商標）端末の受信許容速度を超えないように制御する技術について開示された文献がある（例えば、特許文献３参照）。
【特許文献１】特開２００１−２２３７１４号公報
【特許文献２】特開２００３−２２４５７５号公報
【特許文献３】特開２００５−２３６４２３号公報
【発明の開示】
【発明が解決しようとする課題】
【００４６】
しかし、上記特許文献１〜３には、帯域情報を含む制御フレームを用いて、データフレームの送信を制御する点については何ら記載もその必要性についても示唆されていない。
【００４７】
即ち、上記特許文献１〜３の技術では、伝送路（22）の有効活用を図ることができないことになる。
【００４８】
本発明は、上記事情に鑑みてなされたものであり、帯域情報を含む制御フレームを用いて、データフレームの送信を制御することが可能な帯域制御装置、帯域制御システム、帯域制御方法を提供することを目的とするものである。
【課題を解決するための手段】
【００４９】
かかる目的を達成するために、本発明は、以下の特徴を有することとする。
【００５０】
＜帯域制御装置＞
本発明にかかる帯域制御装置は、
制御フレームを通信装置に送信する送信手段を有する帯域制御装置であって、
前記送信手段は、
前記通信装置が送信するデータフレームの帯域を制御するための帯域情報を含む制御フレームを送信することを特徴とする。
【００５１】
また、本発明にかかる帯域制御装置は、
制御フレームを受信した場合に、前記制御フレームを基に、データフレームの送信を制御する帯域制御装置であって、
帯域情報を含む制御フレームを受信した場合に、前記制御フレームに含まれる帯域情報に応じたデータフレームの送信を行うように制御する制御手段を有することを特徴とする。
【００５２】
＜帯域制御システム＞
また、本発明にかかる帯域制御システムは、
データフレームを送信する送信側通信装置と、前記データフレームを受信する受信側通信装置と、を有する帯域制御システムであって、
前記受信側通信装置は、
前記送信側通信装置が送信するデータフレームの帯域を制御するための帯域情報を含む制御フレームを、前記送信側通信装置に送信する送信手段を有し、
前記送信側通信装置は、
前記帯域情報を含む制御フレームを受信した場合に、前記制御フレームに含まれる帯域情報に応じたデータフレームの送信を行うように制御する制御手段を有することを特徴とする。
【００５３】
＜帯域制御方法＞
また、本発明にかかる帯域制御方法は、
制御フレームを通信装置に送信する帯域制御装置で行う帯域制御方法であって、
前記通信装置が送信するデータフレームの帯域を制御するための帯域情報を含む制御フレームを送信する送信工程を有することを特徴とする帯域制御方法。
【００５４】
また、本発明にかかる帯域制御方法は、
制御フレームを受信した場合に、前記制御フレームを基に、データフレームの送信を制御する帯域制御装置で行う帯域制御方法であって、
帯域情報を含む制御フレームを受信した場合に、前記制御フレームに含まれる帯域情報に応じたデータフレームの送信を行うように制御する制御工程を有することを特徴とする。
【００５５】
また、本発明にかかる帯域制御方法は、
データフレームを送信する送信側通信装置と、前記データフレームを受信する受信側通信装置と、を有する帯域制御システムで行う帯域制御方法であって、
前記受信側通信装置は、
前記送信側通信装置が送信するデータフレームの帯域を制御するための帯域情報を含む制御フレームを、前記送信側通信装置に送信する送信工程を行い、
前記送信側通信装置は、
前記帯域情報を含む制御フレームを受信した場合に、前記制御フレームに含まれる帯域情報に応じたデータフレームの送信を行うように制御する制御工程を行うことを特徴とする。
【発明の効果】
【００５６】
本発明によれば、帯域情報を含む制御フレームを用いて、データフレームの送信を制御することが可能となる。
【発明を実施するための最良の形態】
【００５７】
まず、図７を参照しながら、本実施形態における帯域制御システムの概要について説明する。
【００５８】
本実施形態における帯域制御システムは、データフレームを送信する送信側通信装置（20）と、データフレームを受信する受信側通信装置（21）と、を有する帯域制御システムである。そして、受信側通信装置（21）は、送信側通信装置（20）が送信するデータフレームの帯域を制御するための帯域情報（S213）を含む制御フレームを、送信側通信装置（20）に送信する。送信側通信装置（20）は、帯域情報（S213）を含む制御フレームを受信した場合に、制御フレームに含まれる帯域情報（S213）に応じたデータフレームの送信を行うように制御する。これにより、本実施形態における帯域制御システムは、帯域情報（S213）を含む制御フレームを用いて、伝送路（22）に送信するデータフレームの送信を制御することが可能となる。その結果、伝送路（22）の有効活用を図ることが可能となる。以下、添付図面を参照しながら、本実施形態における帯域制御システムについて詳細に説明する。
【００５９】
（第１の実施形態）
＜帯域制御システムの構成＞
まず、図７を参照しながら、本実施形態における帯域制御システムのシステム構成について説明する。なお、図７は、本実施形態における帯域制御システムのシステム構成の一例を示す図である。
【００６０】
本実施形態における帯域制御システムは、送信側通信装置（20）と、受信側通信装置（21）と、を有して構成する。
【００６１】
＜送信側通信装置：20の構成＞
送信側通信装置（20）は、MACフレーム送信部（201）と、MACフレーム受信部（202）と、を有して構成している。
【００６２】
なお、MACフレーム送信部（201）は、送信制御部（2012）を有して構成している。また、MACフレーム受信部（202）は、受信データ判別部（2022）を有して構成している。
【００６３】
＜受信側通信装置：21の構成＞
受信側通信装置（21）は、MACフレーム受信部（211）と、MACフレーム送信部（212）と、を有して構成している。
【００６４】
なお、MACフレーム受信部（211）は、MACフレーム格納メモリ（2111）と、入力帯域制御部（2113）と、を有して構成している。また、MACフレーム送信部（212）は、セレクタ（2122）と、PAUSEフレーム送信部（2123）と、を有して構成している。
【００６５】
なお、本実施形態における受信側通信装置（21）の入力帯域制御部（2113）は、送信側通信装置（20）が送信するMACフレームの帯域を制御するための帯域情報（S213）を、PAUSEフレーム送信部（2123）に出力する機能を有している。帯域情報（S213）は、受信側通信装置（21）と接続しているユーザ設定端末（26）から設定することが可能であり、受信側通信装置（21）が受信可能な帯域を設定することが好ましい。例えば、図７に示すシステム構成の場合には、送信側通信装置（20）が送信するMACフレームの帯域を、伝送路（23）と同様な1Gbpsに制御するように設定することが好ましい。
【００６６】
また、PAUSEフレーム送信部（2123）は、入力帯域制御部（2113）から出力された帯域情報（S213）を、『PAUSEフレーム』の『Paddingフィールド』に格納し、その帯域情報（S213）を格納した『PAUSEフレーム』を送信側通信装置（20）に送信する機能を有している。
【００６７】
また、送信側通信装置（20）の受信データ判別部（2022）は、受信側通信装置（21）から受信したMACフレームが、帯域情報（S213）を格納した『PAUSEフレーム』である場合には、その帯域情報（S213）を含むPAUSE帯域情報（S205）を送信制御部（2012）に出力する機能を有している。
【００６８】
また、送信制御部（2012）は、受信データ判別部（2022）から出力されたPAUSE帯域情報（S205）に含まれる帯域情報（S213）を基に、伝送路（22）に送信するMACフレームの帯域を制御する機能を有している。
【００６９】
本実施形態における帯域制御システムは、上記機能を有することで、受信側通信装置（21）は、送信側通信装置（20）が送信するMACフレームの帯域を制御するための帯域情報（S213）を含む『PAUSEフレーム』を送信側通信装置（20）に送信することになる。また、送信側通信装置（20）は、帯域情報（S213）を含む『PAUSEフレーム』を受信した場合に、その帯域情報（S213）を基に、伝送路（22）に送信するMACフレームの帯域を制御することになる。これにより、送信側通信装置（20）は、『PAUSEフレーム』に含まれる帯域情報（S213）を基に、伝送路（22）に送信するMACフレームの帯域を制御することが可能となるため、図６に示す関連方式のPAUSE制御よりも伝送路（22）を有効的に使用することが可能となる。
【００７０】
＜Paddingフィールドの詳細構造＞
次に、図８を参照しながら、本実施形態の『PAUSEフレーム』を構成する『Paddingフィールド』の詳細構造について説明する。なお、図８は、『Paddingフィールド』に格納する帯域情報（S213）の一例を示す図である。
【００７１】
図８に示すように、『Paddingフィールド』は、『帯域制御有効フィールド』と、『IFG情報フィールド』と、『予備フィールド』と、を有して構成している。
【００７２】
＜帯域制御有効フィールド＞
『帯域制御有効フィールド』は、値が『1』の場合は、本実施形態における帯域制御を有効とし、値が『0』の場合は、本実施形態における帯域制御を無効、即ち、図６を基に説明した関連方式の『PAUSEフレーム』の制御を実施することになる。なお、『帯域制御有効フィールド』に設定される情報である『1』or『0』は、ユーザ設定端末（26）から設定することが可能である。
【００７３】
＜IFG情報フィールド＞
『IFG情報フィールド』は、例えば、値が0の場合は、IFG（Inter Frame Gap）を20バイトとしてMACデータフレームを送信し、値が10の場合は、IFGを30バイトとしてMACデータフレームを送信するための情報である。なお、IFGは、送信側通信装置（20）からMACデータフレームを送信する間隔を示す情報である。なお、『IFG情報フィールド』に格納されるIFG情報は、ユーザ設定端末（26）から設定することが可能である。
【００７４】
＜予備フィールド＞
『予備フィールド』は、他の情報を格納するための予備的なフィールドである。
【００７５】
＜本実施形態のPAUSEフレーム制御＞
次に、図７を参照しながら、本実施形態のPAUSEフレーム制御について説明する。なお、図７は、本実施形態のPAUSEフレーム制御の一例を示す図である。
【００７６】
＜入力帯域制御部：2113＞
入力帯域制御部（2113）は、MACフレーム格納メモリ（2111）から送信される滞留データ量情報（S211）を受信した場合に、その受信した滞留データ量情報（S211）を基に、MACフレーム格納メモリ（2111）に滞留しているデータ量と、所定の閾値と、を比較する。そして、MACフレーム格納メモリ（2111）に滞留しているデータ量が所定の閾値を超過している場合には、PAUSE送信情報（S212）を『1』として、セレクタ（2122）に出力する。なお、所定の閾値は、受信側通信装置（21）と接続しているユーザ設定端末（26）から設定することが可能である。
【００７７】
また、入力帯域制御部（2113）は、MACフレーム格納メモリ（2111）に滞留しているデータ量が所定の閾値を超過していない場合には、PAUSE送信情報（S212）を『0』として、セレクタ（2122）に出力する。
【００７８】
また、入力帯域制御部（2113）は、本実施形態の帯域制御が有効と設定されている場合には、図８に示す『帯域制御有効フィールド』の値を『1』とし、『IFG情報フィールド』にIFG情報を格納した帯域情報（S213）を、PAUSEフレーム送信部（2123）に出力する。
【００７９】
また、入力帯域制御部（2113）は、本実施形態の帯域制御が無効と設定されている場合には、図８に示す『帯域制御有効フィールド』の値を『0』とした帯域情報（S213）を、PAUSEフレーム送信部（2123）に出力する。
【００８０】
＜PAUSEフレーム送信部：2123＞
PAUSEフレーム送信部（2123）は、入力帯域制御部（2113）から帯域情報（S213）が入力された場合に、その帯域情報（S213）を基に、『帯域制御有効フィールド』の値が有効『1』、または、無効『0』を示しているか否かを判断する。
【００８１】
PAUSEフレーム送信部（2123）は、『帯域制御有効フィールド』の値が有効『1』を示している場合には、『PAUSEフレーム』の『Paddingフィールド』に帯域情報（S213）を格納し、『Pause Timeフィールド』を『0』とした『PAUSEフレーム』をセレクタ（2122）に出力する。
【００８２】
これにより、PAUSEフレーム送信部（2123）は、図８に示す『Paddingフィールド』の情報を含み、且つ、『Pause Timeフィールド』を『0』とした『PAUSEフレーム』を、セレクタ（2122）に出力することが可能となる。
【００８３】
また、『帯域制御有効フィールド』の値が無効『0』を示している場合には、図６を基に説明した関連方式の『PAUSEフレーム』をセレクタ（2122）に出力する。
【００８４】
＜セレクタ：2122＞
セレクタ（2122）は、入力帯域制御部（2113）から送信されるPAUSE送信情報（S212）を受信した場合に、その受信したPAUSE送信情報（S212）が『0』の場合は、1Gbps伝送路（25）から送信される『MACデータフレーム』を10Gpps伝送路（24）に出力する。
【００８５】
また、セレクタ（2122）は、PAUSE送信情報（S212）が『1』の場合は、上述したPAUSEフレーム送信部（2123）から送信される『PAUSEフレーム』を10Gpps伝送路（24）に出力する。
【００８６】
なお、本実施形態における受信側通信装置（21）は、『帯域情報（S213）が格納されたPAUSEフレーム』を、１フレームだけ送信側通信装置（20）に送信するだけでよいため、入力帯域制御部（2113）は、セレクタ（2122）に出力するPAUSE送信情報（S212）を制御し、『帯域情報（S213）が格納されたPAUSEフレーム』をセレクタ（2122）から１フレームだけ送信するように制御することになる。
【００８７】
即ち、本実施形態における入力帯域制御部（2113）は、送信側通信装置（20）が送信するMACフレームの帯域を制御する場合には、MACフレーム格納メモリ（2111）に滞留しているデータ量が所定の閾値を超過しているか否かに関わらず、PAUSE送信情報（S212）を『1』として、セレクタ（2122）に出力することになる。また、図８に示す『帯域制御有効フィールド』の値を『1』とし、『IFG情報フィールド』にIFG情報を格納した帯域情報（S213）を、PAUSEフレーム送信部（2123）に出力することになる。これにより、受信側通信装置（21）は、『帯域情報（S213）が格納されたPAUSEフレーム』を、１フレームだけ送信側通信装置（20）に送信することが可能となる。
【００８８】
なお、『帯域情報（S213）が格納されたPAUSEフレーム』を１フレームだけ送信する条件としては、以下の条件が挙げられる。
ユーザ設定端末（26）からPAUSEフレーム送信要求を受け付けた場合。
ユーザ設定端末（26）から設定される帯域情報（S213）に変化があった場合。
送信側通信装置（20）と受信側通信装置（21）との間のEthernet（登録商標）リンクが切断した状態から再度リンクが確立した場合。
受信側通信装置（21）から出力可能な伝送路（23）のデータ帯域が受信側通信装置（21）に入力される伝送路（22）のデータ帯域よりも小さくなった場合。
なお、受信側通信装置（21）は、伝送路（22、23）をモニタリングすることで、伝送路（22、23）のデータ帯域を把握することが可能である。
【００８９】
＜受信データ判別部：2022＞
受信データ判別部（2022）は、MACフレーム受信部（202）が受信したMACフレームが『データフレーム』か、『関連方式のPAUSEフレーム』か、『帯域情報（S213）が格納されたPAUSEフレーム』か、をそのMACフレームの『DAフィールド』、『Length/Typeフィールド』、『Opcodeフィールド』、『Paddingフィールド』内の『帯域制御有効フィールド』を基に、判断する。なお、『関連方式のPAUSEフレーム』とは、図６を基に説明したPAUSEフレームのことを意味する。
【００９０】
受信データ判別部（2022）は、MACフレームが『データフレーム』である場合は、次処理部（図示せず）に対し、（S202）を介してフォワーディングする。また、受信データ判別部（2022）は、送信停止情報（S204）を『0』として、MACフレーム送信部（201）に出力し、また、PAUSE帯域情報（S205）としては特に何の値も出力しない。
【００９１】
また、受信データ判別部（2022）は、MACフレームが『関連方式のPAUSEフレーム』の場合は、上述した図６に示す制御を行うことになる。
【００９２】
即ち、受信データ判別部（2022）は、MACフレームが『関連方式のPAUSEフレーム』の場合は、送信停止情報（S204）を『1』として、MACフレーム送信部（201）に出力し、また、PAUSE帯域情報（S205）として、『関連方式のPAUSEフレーム』に格納されている『Pause Timeフィールド』の値をMACフレーム送信部（201）に出力する。
【００９３】
また、受信データ判別部（2022）は、MACフレームが『帯域情報（S213）が格納されたPAUSEフレーム』の場合は、送信停止情報（S204）を『1』として、MACフレーム送信部（201）に出力し、また、PAUSE帯域情報（S205）として、『帯域情報（S213）が格納されたPAUSEフレーム』に格納されている『Pause Timeフィールド』の値『0』と帯域情報（S213）とをMACフレーム送信部（201）に出力する。
【００９４】
＜送信制御部：2012＞
送信制御部（2012）は、MACフレーム受信部（202）から受信した送信停止情報（S204）とPAUSE帯域情報（S205）とを基に、図６を基に説明した関連方式のPAUSE制御を行うか、また、本実施形態の帯域制御を行うかを判断する。
【００９５】
まず、送信制御部（2012）は、送信停止情報（S204）が『0』の場合には、データ送信停止制御を行わず、MACフレームを10Gbps伝送路（22）に出力する。
【００９６】
また、送信制御部（2012）は、MACフレーム受信部（202）から受信した送信停止情報（S204）が『1』の場合には、PAUSE帯域情報（S205）を確認し、PAUSE帯域情報（S205）に帯域情報（S213）が含まれていない場合には、図６を基に説明した関連方式のデータ送信停止制御を行うことになる。この場合、送信制御部（2012）は、PAUSE帯域情報（S205）に含まれる『Pause Timeフィールド』の値に、512bit時間を乗じた時間だけMACフレームの送信を停止する。
【００９７】
また、送信制御部（2012）は、PAUSE帯域情報（S205）に帯域情報（S213）が含まれている場合には、本実施形態のデータ帯域制御を行うことになる。この場合、送信制御部（2012）は、PAUSE帯域情報（S205）に含まれる『Paddingフィールド』内の『IFG情報フィールド』の値に応じて、MACフレームの送信間隔を制御し、10GBps伝送路（22）に送信するMACフレームの帯域を制御する。
【００９８】
このように、本実施形態における帯域制御システムでは、受信側通信装置（21）は、本実施形態の帯域制御を行う場合には、送信側通信装置（20）が送信するMACフレームの帯域を制御するための帯域情報（S213）を含む『PAUSEフレーム』を、送信側通信装置（20）に送信する。そして、送信側通信装置（20）は、受信側通信装置（21）から受信した『PAUSEフレーム』に含まれる帯域情報（S213）を基に、伝送路（22）に送信するMACフレームの帯域を制御する。これにより、本実施形態における帯域制御システムは、図６を基に説明した関連方式のPAUSEフレーム制御とは異なり、伝送路（22）の有効活用を図ることが可能となる。
【００９９】
（第２の実施形態）
次に、第２の実施形態について説明する。
【０１００】
第１の実施形態における入力帯域制御部（2113）は、帯域制御を行う場合には、MACフレーム格納メモリ（2111）に滞留しているデータ量が所定の閾値を超過しているか否かに関わらず、送信側通信装置（20）から送信するMACフレームの帯域を制御するための帯域情報（S213）を含むPAUSEフレームを送信側通信装置（20）に送信するように制御した。
【０１０１】
第２の実施形態における入力帯域制御部（2113）は、MACフレーム格納メモリ（2111）に滞留しているデータ量が所定の閾値を超過している場合に、MACフレームの帯域を制御するための帯域情報（S213）を含むPAUSEフレームを送信側通信装置（20）に送信するように制御する。また、MACフレーム格納メモリ（2111）に滞留しているデータ量が所定の閾値を超過しなくなった場合に、帯域情報（S213）を０としたPAUSEフレームを送信側通信装置（20）に送信するように制御する。
【０１０２】
これにより、本実施形態の帯域制御システムは、受信側通信装置（21）のMACフレーム格納メモリ（2111）のメモリリソースの空き具合に応じて、送信側通信装置（20）から送信するMACフレームの帯域を制御することが可能となる。以下、第２の実施形態について詳細に説明する。
【０１０３】
＜帯域制御システムの構成＞
まず、図７を参照しながら、本実施形態の帯域制御システムのシステム構成について説明する。
【０１０４】
第２の実施形態における帯域制御システムは、第１の実施形態と同様に構成し、受信側通信装置（21）の入力帯域制御部（2113）における制御動作が異なることになる。その入力帯域制御部（2113）における制御動作について詳細に説明する。
【０１０５】
＜入力帯域制御部：2113＞
【０１０６】
本実施形態における入力帯域制御部（2113）は、MACフレーム格納メモリ（2111）から送信される滞留データ量情報（S211）を受信した場合に、その受信した滞留データ量情報（S211）を基に、MACフレーム格納メモリ（2111）に滞留しているデータ量と、所定の閾値と、を比較する。そして、MACフレーム格納メモリ（2111）に滞留しているデータ量が所定の閾値を超過している場合に、本実施形態の帯域制御が有効と設定されているか否かを判断する。そして、本実施形態の帯域制御が有効と設定されている場合には、図８に示す『帯域制御有効フィールド』の値を『1』とし、ユーザ設定端末（26）により設定されたIFG情報を『IFG情報フィールド』に格納した帯域情報（S213）を、PAUSEフレーム送信部（2123）に出力する。
【０１０７】
これにより、入力帯域制御部（2113）は、MACフレーム格納メモリ（2111）に滞留しているデータ量が所定の閾値を超過しており、且つ、本実施形態の帯域制御が有効と設定されていると判断した時点で、送信側通信装置（20）から送信するMACフレームの帯域を制御することが可能となる。
【０１０８】
また、入力帯域制御部（2113）は、MACフレーム格納メモリ（2111）に滞留しているデータ量が所定の閾値を超過している場合に、本実施形態の帯域制御が無効と設定されている場合には、図８に示す『帯域制御有効フィールド』の値を『0』とした帯域情報（S213）を、PAUSEフレーム送信部（2123）に出力する。
【０１０９】
これにより、入力帯域制御部（2113）は、MACフレーム格納メモリ（2111）に滞留しているデータ量が所定の閾値を超過しており、且つ、本実施形態の帯域制御が無効と設定されていると判断した時点で、図６に示す関連方式の帯域制御を行うことが可能となる。
【０１１０】
また、入力帯域制御部（2113）は、MACフレーム格納メモリ（2111）に滞留しているデータ量が所定の閾値を超過しなくなった場合に、本実施形態の帯域制御が有効と設定されている場合には、図８に示す『帯域制御有効フィールド』の値を『1』とし、『IFG情報フィールド』のIFG情報を０とした帯域情報（S213）を、PAUSEフレーム送信部（2123）に出力する。
【０１１１】
これにより、入力帯域制御部（2113）は、MACフレーム格納メモリ（2111）に滞留しているデータ量が所定の閾値を超過しなくなり、且つ、本実施形態の帯域制御が有効と設定されていると判断した時点で、送信側通信装置（20）から送信するMACフレームの帯域の制限を無くすように制御することが可能となる。
【０１１２】
なお、本実施形態における入力帯域制御部（2113）は、セレクタ（2122）に出力するPAUSE送信情報（S212）を制御し、上述した『IFG情報フィールド』のIFG情報を0とした帯域情報（S213）が格納された『PAUSEフレーム』を、セレクタ（2122）から1フレームだけ送信するように制御することになる。
【０１１３】
即ち、本実施形態における入力帯域制御部（2113）は、『IFG情報フィールド』のIFG情報を0とした帯域情報（S213）が格納された『PAUSEフレーム』を、セレクタ（2122）から送信するように制御するために、MACフレーム格納メモリ（2111）に滞留しているデータ量が所定の閾値を超過していないと判断した初回時は、PAUSE送信情報（S212）を『1』として、セレクタ（2122）に出力し、セレクタ（2122）から、『IFG情報フィールド』のIFG情報を0とした帯域情報（S213）が格納された『PAUSEフレーム』を送信するように制御することになる。
【０１１４】
なお、MACフレーム格納メモリ（2111）に滞留しているデータ量が所定の閾値を超過していないと判断した２回目以降は、PAUSE送信情報（S212）を『0』として、セレクタ（2122）に出力し、セレクタ（2122）から『MACデータフレーム』を送信するように制御することになる。
【０１１５】
このように、本実施形態における受信側通信装置（21）は、受信側通信装置（21）のMACフレーム格納メモリ（2111）のメモリリソースの空き具合に応じて、送信側通信装置（20）から送信するMACフレームの帯域を制御することが可能となる。
【０１１６】
（第３の実施形態）
次に、第３の実施形態について説明する。
【０１１７】
第３の実施形態における帯域制御システムでは、受信側通信装置（21）は、受信側通信装置（21）がデータフレームを受信可能な帯域情報（S213）を含む制御フレームを、送信側通信装置（20）に送信する。そして、送信側通信装置（20）は、制御フレームに含まれる帯域情報（S213）を基に、データフレームの送信を制御する。
【０１１８】
これにより、本実施形態における帯域制御システムは、帯域情報（S213）を含む制御フレームを用いて、送信側通信装置（20）から送信するデータフレームを制御することが可能となる。その結果、受信側通信装置（21）におけるMACフレーム格納メモリ（2111）のメモリリソースを増加させずに、受信側通信装置（21）における輻輳状態の発生を防止することが可能となる。以下、添付図面を参照しながら、本実施形態の帯域制御システムについて詳細に説明する。
【０１１９】
＜帯域制御システムの構成＞
まず、図７を参照しながら、本実施形態における帯域制御システムのシステム構成について説明する。なお、図７は、本実施形態における帯域制御システムのシステム構成の一例を示す図である。
【０１２０】
本実施形態における帯域制御システムは、送信側通信装置（20）と、受信側通信装置（21）と、を有して構成する。
【０１２１】
＜送信側通信装置：20の構成＞
送信側通信装置（20）は、MACフレーム送信部（201）と、MACフレーム受信部（202）と、を有して構成している。
【０１２２】
なお、MACフレーム送信部（201）は、送信制御部（2012）を有して構成している。また、MACフレーム受信部（202）は、受信データ判別部（2022）を有して構成している。
【０１２３】
＜受信側通信装置：21の構成＞
受信側通信装置（21）は、MACフレーム受信部（211）と、MACフレーム送信部（212）と、を有して構成している。
【０１２４】
なお、MACフレーム受信部（211）は、MACフレーム格納メモリ（2111）と、入力帯域制御部（2113）と、を有して構成している。また、MACフレーム送信部（212）は、セレクタ（2122）と、PAUSEフレーム送信部（2123）と、を有して構成している。
【０１２５】
なお、本実施形態における帯域制御システムは、受信側通信装置（21）の入力帯域制御部（2113）と、PAUSEフレーム送信部（2123）と、における制御と、送信側通信装置（20）の受信データ判別部（2022）と、送信制御部（2012）と、における制御が、図６に示す帯域制御システムの制御と異なる。
【０１２６】
即ち、本実施形態における受信側通信装置（21）の入力帯域制御部（2113）は、図６に示す滞留データ量監視部（2112）の機能に加え、受信側通信装置（21）が受信可能な帯域情報（S213）を、PAUSEフレーム送信部（2123）に出力する機能を有している。なお、帯域情報（S213）は、受信側通信装置（21）と接続しているユーザ設定端末（26）から設定することが可能である。
【０１２７】
また、PAUSEフレーム送信部（2123）は、入力帯域制御部（2113）から出力された帯域情報（S213）を、『PAUSEフレーム』の『Paddingフィールド』に格納し、その帯域情報（S213）を格納した『PAUSEフレーム』を送信側通信装置（20）に送信する機能を有している。
【０１２８】
また、送信側通信装置（20）の受信データ判別部（2022）は、受信側通信装置（21）から受信したMACフレームが、帯域情報（S213）を格納した『PAUSEフレーム』である場合には、その帯域情報（S213）を送信制御部（2012）に送信する機能を有している。
【０１２９】
また、送信制御部（2012）は、受信データ判別部（2022）から送信された帯域情報（S213）を基に、MACフレームの送信を制御する機能を有している。
【０１３０】
本実施形態における帯域制御システムは、上記機能を有することで、受信側通信装置（21）は、受信側通信装置（21）が受信可能な帯域情報（S213）を含む『PAUSEフレーム』を送信側通信装置（20）に送信し、送信側通信装置（20）は、帯域情報（S213）を含む『PAUSEフレーム』を受信した場合に、その帯域情報（S213）を基に、受信側通信装置（21）に送信するMACフレームの送信を制御することになる。これにより、送信側通信装置（20）は、10GBps伝送路（22）に送信するMACフレームを制御することが可能となるため、受信側通信装置（21）における輻輳状態の発生を防止することが可能となる。
【０１３１】
＜Paddingフィールドの詳細構造＞
次に、図８を参照しながら、本実施形態の『PAUSEフレーム』を構成する『Paddingフィールド』の詳細構造について説明する。なお、図８は、『Paddingフィールド』に格納する帯域情報（S213）の一例を示す図である。
【０１３２】
図８に示すように、『Paddingフィールド』は、『帯域制御有効フィールド』と、『IFG情報フィールド』と、『予備フィールド』と、を有して構成している。
【０１３３】
＜帯域制御有効フィールド＞
『帯域制御有効フィールド』は、値が『1』の場合は、本実施形態における帯域制御を有効とし、値が『0』の場合は、本実施形態における帯域制御を無効、即ち、図６を基に説明した『PAUSEフレーム』の制御を実施することになる。なお、『帯域制御有効フィールド』に設定される情報である『1』or『0』は、ユーザ設定端末（26）から設定することが可能である。
【０１３４】
＜IFG情報フィールド＞
『IFG情報フィールド』は、例えば、値が0の場合は、IFG（Inter Frame Gap）を20バイトとしてMACデータフレームを送信し、値が10の場合は、IFGを30バイトとしてMACデータフレームを送信するような情報である。なお、IFGは、送信側通信装置（20）からMACデータフレームを送信する間隔を示す情報である。なお、『IFG情報フィールド』に格納されるIFG情報は、ユーザ設定端末（26）から設定することが可能である。
【０１３５】
＜予備フィールド＞
『予備フィールド』は、他の情報を格納するための予備的なフィールドである。
【０１３６】
＜本実施形態のPAUSEフレーム制御＞
次に、図７を参照しながら、本実施形態のPAUSEフレーム制御について説明する。なお、図７は、本実施形態のPAUSEフレーム制御の一例を示す図である。
【０１３７】
＜入力帯域制御部：2113＞
入力帯域制御部（2113）は、MACフレーム格納メモリ（2111）から送信される滞留データ量情報（S211）を受信した場合に、その受信した滞留データ量情報（S211）を基に、MACフレーム格納メモリ（2111）に滞留しているデータ量と、所定の閾値と、を比較する。そして、MACフレーム格納メモリ（2111）に滞留しているデータ量が所定の閾値を超過している場合には、PAUSE送信情報（S212）を『1』として、セレクタ（2122）に出力する。なお、所定の閾値は、受信側通信装置（21）と接続しているユーザ設定端末（26）から設定することが可能である。
【０１３８】
また、入力帯域制御部（2113）は、MACフレーム格納メモリ（2111）に滞留しているデータ量が所定の閾値を超過していない場合には、PAUSE送信情報（S212）を『0』として、セレクタ（2122）に出力する。
【０１３９】
また、入力帯域制御部（2113）は、本実施形態の帯域制御が有効と設定されている場合には、図８に示す『帯域制御有効フィールド』の値を『1』とし、『IFG情報フィールド』にユーザ設定端末（26）により設定されたIFG情報を格納した帯域情報（S213）を、PAUSEフレーム送信部（2123）に出力する。
【０１４０】
また、入力帯域制御部（2113）は、本実施形態の帯域制御が無効と設定されている場合には、図８に示す『帯域制御有効フィールド』の値を『0』とした帯域情報（S213）を、PAUSEフレーム送信部（2123）に出力する。なお、本実施形態の帯域制御が有効か無効かの設定は、ユーザ設定端末（26）から設定可能である。
【０１４１】
＜PAUSEフレーム送信部：2123＞
PAUSEフレーム送信部（2123）は、入力帯域制御部（2113）から帯域情報（S213）が入力された場合に、その帯域情報（S213）を基に、『帯域制御有効フィールド』の値が有効『1』、または、無効『0』を示しているか否かを判断する。
【０１４２】
PAUSEフレーム送信部（2123）は、『帯域制御有効フィールド』の値が有効『1』を示している場合には、『PAUSEフレーム』の『Paddingフィールド』に帯域情報（S213）を格納し、『Pause Timeフィールド』を『0』とした『PAUSEフレーム』をセレクタ（2122）に出力する。
【０１４３】
これにより、PAUSEフレーム送信部（2123）は、図８に示す『Paddingフィールド』の情報を含み、且つ、『Pause Timeフィールド』を『0』とした『PAUSEフレーム』を、セレクタ（2122）に出力することが可能となる。
【０１４４】
また、『帯域制御有効フィールド』の値が無効『0』を示している場合には、図６を基に説明した関連方式の『PAUSEフレーム』をセレクタ（2122）に出力する。
【０１４５】
＜セレクタ：2122＞
セレクタ（2122）は、入力帯域制御部（2113）から送信されるPAUSE送信情報（S212）を受信した場合に、その受信したPAUSE送信情報（S212）が『0』の場合は、1Gbps伝送路（25）から送信される『MACデータフレーム』を10Gpps伝送路（24）に出力する。
【０１４６】
また、セレクタ（2122）は、PAUSE送信情報（S212）が『1』の場合は、上述したPAUSEフレーム送信部（2123）から送信される『PAUSEフレーム』を10Gpps伝送路（24）に出力する。
【０１４７】
なお、本実施形態における受信側通信装置（21）は、『帯域情報（S213）が格納されたPAUSEフレーム』を、１フレームだけ送信側通信装置（20）に送信するだけでよいため、入力帯域制御部（2113）は、セレクタ（2122）に出力するPAUSE送信情報（S212）を制御し、『帯域情報（S213）が格納されたPAUSEフレーム』をセレクタ（2122）から１フレームだけ送信するように制御することになる。
【０１４８】
即ち、本実施形態における入力帯域制御部（2113）は、帯域制御を行う場合には、MACフレーム格納メモリ（2111）に滞留しているデータ量が所定の閾値を超過しているか否かに関わらず、PAUSE送信情報（S212）を『1』として、セレクタ（2122）に出力することになる。また、図８に示す『帯域制御有効フィールド』の値を『1』とし、『IFG情報フィールド』にIFG情報を格納した帯域情報（S213）を、PAUSEフレーム送信部（2123）に出力することになる。これにより、受信側通信装置（21）は、『帯域情報（S213）が格納されたPAUSEフレーム』を、１フレームだけ送信側通信装置（20）に送信することが可能となる。
【０１４９】
なお、『帯域情報（S213）が格納されたPAUSEフレーム』を１フレームだけ送信する条件としては、以下の条件等が挙げられる。
ユーザ設定端末（26）からPAUSEフレーム送信要求を受け付けた場合。
ユーザ設定端末（26）から設定される帯域情報（S213）に変化があった場合。
送信側通信装置（20）と受信側通信装置（21）との間のEthernetリンクが切断した状態から再度リンクが確立した場合。
【０１５０】
＜受信データ判別部：2022＞
受信データ判別部（2022）は、MACフレーム受信部（202）が受信したMACフレームが『データフレーム』か、『関連方式のPAUSEフレーム』か、『帯域情報（S213）が格納されたPAUSEフレーム』か、をそのMACフレームの『DAフィールド』、『Length/Typeフィールド』、『Opcodeフィールド』、『Paddingフィールド』内の『帯域制御有効フィールド』を基に、判断する。なお、『関連方式のPAUSEフレーム』とは、図６を基に説明したPAUSEフレームのことを意味する。
【０１５１】
受信データ判別部（2022）は、MACフレームが『データフレーム』である場合は、次処理部（図示せず）に対し、（S202）を介してフォワーディングする。また、受信データ判別部（2022）は、送信停止情報（S204）を『0』として、MACフレーム送信部（201）に出力し、また、PAUSE帯域情報（S205）としては特に何の値も出力しない。
【０１５２】
また、受信データ判別部（2022）は、MACフレームが『関連方式のPAUSEフレーム』の場合は、上述した図６に示す制御を行うことになる。
【０１５３】
即ち、受信データ判別部（2022）は、MACフレームが『関連方式のPAUSEフレーム』の場合は、送信停止情報（S204）を『1』として、MACフレーム送信部（201）に出力し、また、PAUSE帯域情報（S205）として、『関連方式のPAUSEフレーム』に格納されている『Pause Timeフィールド』の値をMACフレーム送信部（201）に出力する。
【０１５４】
また、受信データ判別部（2022）は、MACフレームが『帯域情報（S213）が格納されたPAUSEフレーム』の場合は、送信停止情報（S204）を『1』として、MACフレーム送信部（201）に出力し、また、PAUSE帯域情報（S205）として、『帯域情報（S213）が格納されたPAUSEフレーム』に格納されている『Pause Timeフィールド』の値『0』と帯域情報（S213）とをMACフレーム送信部（201）に出力する。
【０１５５】
＜送信制御部：2012＞
送信制御部（2012）は、MACフレーム受信部（202）から受信した送信停止情報（S204）とPAUSE帯域情報（S205）とを基に、図６を基に説明した関連方式のPAUSE制御を行うか、また、本実施形態の帯域制御を行うかを判断する。
【０１５６】
まず、送信制御部（2012）は、送信停止情報（S204）が『0』の場合には、データ送信停止制御を行わず、MACフレームを10Gbps伝送路（22）に出力する。
【０１５７】
また、送信制御部（2012）は、ＭＡＣフレーム受信部（202）から受信した送信停止情報（S204）が『1』の場合には、PAUSE帯域情報（S203）である帯域情報（S213）の『帯域制御有効フィールド』を確認し、『帯域制御有効フィールド』が無効『0』の場合には、図６を基に説明した関連方式のデータ送信停止制御を行うことになる。この場合、送信制御部（2012）は、PAUSE帯域情報（S205）に含まれる『Pause Timeフィールド』の値に、512bit時間を乗じた時間だけMACフレームの送信を停止する。
【０１５８】
また、送信制御部（2012）は、『帯域制御有効フィールド』が有効『1』の場合には、本実施形態のデータ帯域制御を行うことになる。この場合、送信制御部（2012）は、PAUSE帯域情報（S205）に含まれる『Paddingフィールド』内の『IFG情報フィールド』の値に応じて、MACフレームを送信する間隔を制御する。
【０１５９】
なお、送信制御部（2012）は、MACフレーム受信部（202）から受信した送信停止情報（S204）が『1』の場合には、PAUSE帯域情報（S205）を確認し、PAUSE帯域情報（S205）に帯域情報（S213）が含まれていない場合には、図６を基に説明した関連方式のデータ送信停止制御を行い、PAU帯域情報（S205）に帯域情報（S213）が含まれている場合には、その帯域情報（S213）を基に、本実施形態のデータ帯域制御を行うことも可能である。
【０１６０】
このように、本実施形態における帯域制御システムでは、受信側通信装置（21）は、本実施形態の帯域制御を行う場合には、受信側通信装置（21）自身が受信可能な帯域情報（S213）を含む『PAUSEフレーム』を、送信側通信装置（20）に送信する。そして、送信側通信装置（20）は、受信側通信装置（21）から受信した『PAUSEフレーム』に含まれる帯域情報（S213）を基に、受信側通信装置（21）に送信するMACフレームの帯域を制御する。これにより、送信側通信装置（20）は、受信側通信装置（21）が受信可能な帯域情報（S213）を把握し、受信側通信装置（21）に送信するMACフレームを制限することが可能可能となる。従って、図６を基に説明した関連方式のPAUSEフレーム制御とは異なり、受信側通信装置（21）における輻輳状態の発生を防止することが可能となる。
【０１６１】
例えば、図６を基に説明した関連方式のPAUSEフレーム制御では、受信側通信装置（21）は、MACフレーム格納メモリ（2111）に滞留しているデータ量が所定の閾値を超過している場合に、『PAUSEフレーム』を送信側通信装置（20）に送信し、送信側通信装置（20）は、『PAUSEフレーム』を受信した場合に、受信側通信装置（21）に送信するMACフレームの送信停止制御を行うことになる。
【０１６２】
このため、関連方式のPAUSEフレーム制御では、受信側通信装置（20）のMACフレーム格納メモリ（2111）に滞留しているデータ量が所定の閾値を超過しても、送信側通信装置（20）が『PAUSEフレーム』を受信するまでは、送信側通信装置（20）は、受信側通信装置（21）に対しMACフレームを送信することになる。その結果、受信側通信装置（21）のMACフレーム格納メモリ（2111）のメモリリソース次第では、受信側通信装置（21）において輻輳状態が発生してしまう虞がある。なお、関連方式のPAUSEフレーム制御では、10Gbps伝送路（24）の長さが長くなるにつれて『PAUSEフレーム』を受信する時間が遅くなるため、上記の問題が顕著となる。
【０１６３】
これに対し、本実施形態における帯域制御システムでは、受信側通信装置（21）は、受信側通信装置（21）自身が受信可能な帯域情報（S213）を含む『PAUSEフレーム』を送信側通信装置（20）に送信し、送信側通信装置（20）は、その『PAUSEフレーム』に含まれる帯域情報（S213）を基に、受信側通信装置（21）に送信するMACフレームの送信間隔を制御し、MACフレーム格納メモリ（2111）に滞留するMACフレームを調整することが可能となるため、受信側通信装置（21）における輻輳状態の発生を未然に防止することが可能となる。
【０１６４】
また、本実施形態における帯域制御システムでは、受信側通信装置（21）自身が受信可能な帯域情報（S213）を含む『PAUSEフレーム』を送信側通信装置（20）に送信することで、送信側通信装置（20）から受信側通信装置（21）に送信するMACフレームの帯域を予め任意の値に制限することが可能となるため、送信側通信装置（20）と受信側通信装置（21）との間の伝送路（22、24）の距離に関わらず、送信側通信装置（20）から受信側通信装置（21）に送信するMACフレームの帯域を一定に制御することが可能となる。
【０１６５】
また、本実施形態における帯域制御システムは、帯域情報（S213）を格納した『PAUSEフレーム』を、受信側通信装置（21）から送信側通信装置（20）に１度だけ送信するだけで、送信側通信装置（20）は、その『PAUSEフレーム』に含まれる帯域情報（S213）を基に、受信側通信装置（21）に送信するMACフレームを制御し、受信側通信装置（21）における輻輳状態の発生を未然に防止することが可能となる。その結果、本実施形態における帯域制御システムは、受信側通信装置（21）から送信側通信装置（20）にMACフレームを送信する際に使用する伝送路（24）の帯域を有効活用することが可能となる。
【０１６６】
（第４の実施形態）
次に、第４の実施形態について説明する。
【０１６７】
第３の実施形態における入力帯域制御部（2113）は、本実施形態の帯域制御が有効と設定されている場合には、図８に示す『帯域制御有効フィールド』の値を『1』とし、ユーザ端末設定（26）により設定されたIFG情報を『IFG情報フィールド』に格納した帯域情報（S213）を、PAUSEフレーム送信部（2123）に出力することにした。
【０１６８】
第４の実施形態における入力帯域制御部（2113）は、MACフレーム格納メモリ（2111）に滞留しているデータ量と、所定の閾値と、を比較し、MACフレーム格納メモリ（2111）に滞留しているデータ量が所定の閾値を超過している場合には、ユーザ設定端末（26）により設定されたIFG情報を『IFG情報フィールド』に格納した帯域情報（S213）を、PAUSEフレーム送信部（2123）に出力し、MACフレーム格納メモリ（2111）に滞留しているデータ量が所定の閾値を超過していない場合には、『IFG情報フィールド』のIFG情報を0とした帯域情報（S213）をPAUSEフレーム送信部（2123）に出力する。
【０１６９】
これにより、受信側通信装置（21）のMACフレーム格納メモリ（2111）のメモリリソースの空き具合に応じて、受信側通信装置（21）に送信されるMACフレームを制御することが可能となり、ネットワークリソースの有効活用を図ることが可能となる。以下、第４の実施形態について詳細に説明する。
【０１７０】
＜帯域制御システムの構成＞
まず、図７を参照しながら、本実施形態の帯域制御システムのシステム構成について説明する。
【０１７１】
第４の実施形態における帯域制御システムは、第３の実施形態と同様に構成し、受信側通信装置（21）の入力帯域制御部（2113）における制御動作が異なることになる。その入力帯域制御部（2113）における制御動作について詳細に説明する。
【０１７２】
＜入力帯域制御部：2113＞
【０１７３】
本実施形態における入力帯域制御部（2113）は、MACフレーム格納メモリ（2111）から送信される滞留データ量情報（S211）を受信した場合に、その受信した滞留データ量情報（S211）を基に、MACフレーム格納メモリ（2111）に滞留しているデータ量と、所定の閾値と、を比較する。そして、MACフレーム格納メモリ（2111）に滞留しているデータ量が所定の閾値を超過している場合に、本実施形態の帯域制御が有効と設定されているか否かを判断する。そして、本実施形態の帯域制御が有効と設定されている場合には、図８に示す『帯域制御有効フィールド』の値を『1』とし、ユーザ設定端末（26）により設定されたIFG情報を『IFG情報フィールド』に格納した帯域情報（S213）を、PAUSEフレーム送信部（2123）に出力する。
【０１７４】
これにより、入力帯域制御部（2113）は、MACフレーム格納メモリ（2111）に滞留しているデータ量が所定の閾値を超過しており、且つ、本実施形態の帯域制御が有効と設定されていると判断した時点で、受信側通信装置（21）が受信可能な帯域に制御することが可能となる。
【０１７５】
また、入力帯域制御部（2113）は、MACフレーム格納メモリ（2111）に滞留しているデータ量が所定の閾値を超過している場合に、本実施形態の帯域制御が無効と設定されている場合には、図８に示す『帯域制御有効フィールド』の値を『0』とした帯域情報（S213）を、PAUSEフレーム送信部（2123）に出力する。
【０１７６】
これにより、入力帯域制御部（2113）は、MACフレーム格納メモリ（2111）に滞留しているデータ量が所定の閾値を超過しており、且つ、本実施形態の帯域制御が無効と設定されていると判断した時点で、図６に示す関連方式の帯域制御を行うことが可能となる。
【０１７７】
また、入力帯域制御部（2113）は、MACフレーム格納メモリ（2111）に滞留しているデータ量が所定の閾値を超過しなくなった場合に、本実施形態の帯域制御が有効と設定されている場合には、図８に示す『帯域制御有効フィールド』の値を『1』とし、『IFG情報フィールド』のIFG情報を０とした帯域情報（S213）を、PAUSEフレーム送信部（2123）に出力する。
【０１７８】
これにより、入力帯域制御部（2113）は、MACフレーム格納メモリ（2111）に滞留しているデータ量が所定の閾値を超過しなくなり、且つ、本実施形態の帯域制御が有効と設定されていると判断した時点で、受信側通信装置（21）が受信可能な帯域の制限を無くすように制御することが可能となる。
【０１７９】
なお、本実施形態における入力帯域制御部（2113）は、セレクタ（2122）に出力するPAUSE送信情報（S212）を制御し、上述した『IFG情報フィールド』のIFG情報を0とした帯域情報（S213）が格納された『PAUSEフレーム』を、セレクタ（2122）から1フレームだけ送信するように制御することになる。
【０１８０】
即ち、本実施形態における入力帯域制御部（2113）は、『IFG情報フィールド』のIFG情報を0とした帯域情報（S213）が格納された『PAUSEフレーム』を、セレクタ（2122）から送信するように制御するために、MACフレーム格納メモリ（2111）に滞留しているデータ量が所定の閾値を超過していないと判断した初回時は、PAUSE送信情報（S212）を『1』として、セレクタ（2122）に出力し、セレクタ（2122）から、『IFG情報フィールド』のIFG情報を0とした帯域情報（S213）が格納された『PAUSEフレーム』を送信するように制御することになる。
【０１８１】
なお、MACフレーム格納メモリ（2111）に滞留しているデータ量が所定の閾値を超過していないと判断した２回目以降は、PAUSE送信情報（S212）を『0』として、セレクタ（2122）に出力し、セレクタ（2122）から『MACデータフレーム』を送信するように制御することになる。
【０１８２】
このように、本実施形態における受信側通信装置（21）は、受信側通信装置（21）のMACフレーム格納メモリ（2111）のメモリリソースの空き具合に応じて、受信側通信装置（21）に送信されるMACフレームを制御することが可能となるため、ネットワークリソースの有効活用を図ることが可能となる。
【０１８３】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【０１８４】
例えば、上述した実施形態における帯域制御システムでは、帯域情報（S213）は、ユーザ設定端末（26）から設定することにしたが、受信側通信装置（21）が伝送路（23）のデータ帯域を監視し、伝送路（23）のデータ帯域が変更した場合に、その伝送路（23）のデータ帯域を帯域情報（S213）として設定するように構築することも可能である。この場合、受信側通信装置（21）は、伝送路（22）のデータ帯域と、伝送路（23）のデータ帯域と、を比較し、伝送路（23）のデータ帯域が伝送路（22）のデータ帯域よりも小さい場合に、伝送路（23）のデータ帯域を帯域情報（S213）として設定し、その設定した帯域情報（S213）を含む『PAUSEフレーム』を送信側通信装置（20）に送信するように構築することも可能である。
【０１８５】
また、上述した実施形態における送信側通信装置（20）、受信側通信装置（21）等の通信装置（20，21）における制御動作は、ハード構成ではなく、コンピュータプログラム等のソフトウェアにより実行することも可能である。また、上記のプログラムは、光記録媒体、磁気記録媒体、光磁気記録媒体、または、半導体等の記録媒体に記録し、その記録媒体から上記プログラムを、上述した通信装置（20，21）に読み込ませることで、上述した制御動作を、上述した通信装置（20，21）において実行させることも可能である。また、所定のネットワークを介して接続されている外部機器から上記プログラムを上述した通信装置（20，21）に読み込ませることで、上述した制御動作を、通信装置（20，21）において実行させることも可能である。
【産業上の利用可能性】
【０１８６】
本発明は、データフレームと、制御フレームと、を同一経路に送信する通信装置に適用可能である。
【図面の簡単な説明】
【０１８７】
【図１】IEEE802．3に規定されているCSMA/CD方式を適用した第１のネットワーク構成例を示す図である。
【図２】IEEE802．3に規定されているCSMA/CD方式を適用した第２のネットワーク構成例を示す図である。
【図３】IEEE802．3に規定されているCSMA/CD方式を適用した第３のネットワーク構成例を示す図である。
【図４】PAUSEフレーム制御を説明するための図である。
【図５】『PAUSEフレーム』の詳細構造を示す図である。
【図６】本発明と関連する帯域制御システム、及び、本発明と関連する関連方式のPAUSEフレーム制御を説明するための図である。
【図７】本実施形態の帯域制御システム、及び、本実施形態のPAUSEフレーム制御を説明するための図である。
【図８】本実施形態の『PAUSEフレーム』を構成する『Paddingフィールド』の詳細構造を説明するための図である。
【符号の説明】
【０１８８】
２０    送信側通信装置
２１    受信側通信装置
２２、２３、２４、２５    伝送路
２０１    MACフレーム送信部
２０１２    送信制御部
２０２    MACフレーム受信部
２０２２    受信データ判別部
２１１    MACフレーム受信部
２１１１    MACフレーム格納メモリ
２１１３    入力帯域制御部
２１２    MACフレーム送信部
２１２２    セレクタ
２１２３    PAUSEフレーム送信部
２６    ユーザ設定端末
Ｓ２０４    送信停止情報
Ｓ２０５    PAUSE帯域情報
Ｓ２１１    滞留データ量情報
Ｓ２１２    PAUSE送信情報
Ｓ２１３    帯域情報
【図１】
2008236733.tif 000003
【図２】
2008236733.tif 000004
【図３】
2008236733.tif 000005
【図４】
2008236733.tif 000006
【図５】
2008236733.tif 000007
【図６】
2008236733.tif 000008
【図７】
2008236733.tif 000009
【図８】
2008236733.tif 000010